(57)【要約】      （修正有）【課題】蛍光の反射光を活用することで美的効果を上げたクラフトを提供する。【解決手段】蛍光塗料を板状パーツの裏面に塗布し、反射率の高い色の壁背面に対面固定する。蛍光塗料とは、ペンキ・絵具・印刷インキ・マーカーの事であり、反射率の高い色とは白又はそれに準ずる色である。板状パーツとは白い厚紙或いは発泡スチロール・プラスチック・木板・金属板を、花・葉・蝶・星型・雪型・人物・文字・丸、三角形等に切抜き、平状や折り曲げて半立体状にしたものである。【選択図】図１
0003144349.tif 000002
【実用新案登録請求の範囲】
【請求項１】
板状パーツの一方の面に蛍光塗料を塗布した物を、光の反射率の高い壁背面に、該板状パーツの蛍光塗料を塗布した面と対面固定したクラフト。
【考案の詳細な説明】
【技術分野】
【０００１】  本考案は、蛍光の反射光を活用するクラフト及び視覚効果に関するものである。
【背景技術】
【０００２】  蛍光は物質が短波長の光（主に紫外線）のエネルギーを吸収し、分子のレベルで励起状態（静かな水面に石を投げた時に波立つ様な状態をいう）となり、それをを元の基底状態（落ち着いた状態）に戻そうと分子がエネルギー準位を上げる為、入光よりも波長の長い光を再発光する事をいう。（ストークスの原理）
この蛍光は発熱することなく、叉その発光は励起した光の入射角に関係なく球状に拡がって、放光される。【０００３】  この蛍光の球状の放光はそのまま  白い壁背面（或いはそれに類する明るい壁背面）を照射し、反射光として見る人の目に映る。【０００４】  この反射光は、自然光であれば薄曇りの明るさ日陰の明るさであり、人工光であれば美術館やホテルロビー等の間接照明であり、目に優しくオーロラ的な柔らかな色光は、直接光に無い優しさと癒しの効果がある。
【考案の開示】
【考案が解決しようとする課題】
【０００５】  元来この蛍光色は塗料や印刷に使われる場合、目立つ事を第一の効果として開発され使われて来た。明視度・認識性・刺激の強さの特性が利点とされているのである。一面それは、余りの刺激性ゆえに  下品とか過激だとか理由で特に美的鑑賞においてはあまり評価の対象にはなり得なかったのである。特にその蛍光色は、写真撮影においては人の目で認識する以上に、カメラがその色光を感じて、いわゆるかぶりとか、ちらつき等の原因となり、カメラマン泣かせの事となっている。いかにこの蛍光色の球状に放光するがゆえの、ハレーションなどの負の部分を避けるか、また御するかの方が課題となっている。【０００６】  本考案はその邪魔な蛍光色の負の部分に注目、むしろその現象を利点とし、それを応用することから生まれる新しい美的表現と、アートの新規性を主要な特性とする。【０００７】  人工エネルギー（電力・加熱等）を使用することなく、その蛍光物質の特性により得られる、自然原理の発色と発光を中心的基盤とする。
【課題を解決するための手段】  板状パーツの一方の面に蛍光塗料を塗布した物を、光の反射率の高い壁背面に、該板状パーツの蛍光塗料を塗布した面を対面固定したクラフト。【０００８】  本考案は蛍光塗料を板状パーツの裏面に塗布し、反射率の高い色の壁背面に対面固定する。蛍光塗料とは、ペンキ・絵具・印刷インキ・マーカーの事であり、反射率の高い色とは白叉はそれに準ずる色である。板状パーツとは白い厚紙或いは発泡スチロール・プラスチック・木板・金属板を、花・葉・蝶・星型・雪型・人物・文字・丸、三角形等に切抜き、平状や折り曲げて半立体状にしたものである。
【考案の効果】
【０００９】  本考案は貴重なエネルギーを使用する事なく、叉配線等の資材の設置も不要であり、容易に電飾的効果を上げられる事である。エコロジー・エコノミーとしての貢献、発熱の無い安全性も貴重である。【００１０】  蛍光色の反射光を利用する事は今までに無い発想の分野であり、アートと物理的な電磁的現象をコラボレーションして、全く無かった美術的世界の可能性の道を拓くものである。あわせて新しい装飾方法の開発や標識の新形態の開発にも効果が期待出来る。【００１２】  本考案の制作物に光（自然光・人工光）が当る時、光は壁背面に当って反射され、ハーツの裏面を照らす。その反射光の刺激で塗料が発した蛍光を、壁背面に更に反射させる。蛍光は柔らかな反射光となって、そのパーツの背景の周囲に球状に放光、独特の電飾的な効果を得る事が出来る。この事象を一つの美としてとらえ、パッケージならばそまま壁掛けとして美的鑑賞物とし、平状においてはディスプレー装飾や広告宣伝、案内表示等に利用するものである。
【考案を実施するための形態】
【００１１】  この考案の蛍光色の反射光の物理的原理をを活かし、その効果を確かめたものである。この効果は白い（それに準ずる反射率を持つ色）壁背面と紫外線の存在が不可欠である。
実施例１
図１、２に従って説明。白一色の紙で作成した、菓子箱様のパッケージ（蓋身式）の身の部分に、一方の面に蛍光の塗料を塗布した白紙を、事物（花・葉・果実・文字等）の形に切抜き、折ったり曲げたりして板状パーツ（２）とし、それを壁背面（１）から１〜５、６ｃｍの位置に塗布面（５）を壁背面（１）と対面させて固定する。このパッケケージの裏面には穴（８）を開け、壁等に掛けれるように加工する。
これに紫外線を含む自然光（３）或いは人工光が当ると、蛍光塗料がパッケージの壁背面（１）からの反射光を受けて発光（６）、更に壁背面（１）により反射光（７）となってパーツの輪郭を浮かび上がらせる。柔らかな色光、オーロラを思わせる幻想的な光の拡がり、板状パーツ（２）のメルヘン的テーマと相まって、今までに無かった癒しのアートとしての空間を創る。又この作品にブラックライトを照射すると、蛍光色の発光は一層光り輝き新しい美的な世界を創る。
【００１２】  実施例２
白い発泡スチロール等の板状パーツの裏面に蛍光塗料を塗布、壁背面から１〜５ｃｍの位置に塗布面を対面させ、画鋲や両面テープ等で固定する。
自然光や人工の照明で発色し、魅了的な色光が壁面を輝かせる。小さなパーツの羅列による華やかな効果、イラスト的なオリジナル作品の適用等、エコロジーで安全なウインドウディスプレーの装飾に効果が期待出来る。壁背面が発泡スチロールでパーツが発泡チロールの場合は密着させても効果的である。
【００１３】  実施例３
大きなプラスチック或いはアルミ等の金属板の、裏面に蛍光塗料を塗布。花や蝶、シンボルマークやイラスト、ロゴ等の形に切抜き、ビルの内壁・外壁に取り付ける。２〜５メートルの物が作成し取り付ければ、同様の効果が期待出来る。
実施例４
ホワイトボードによる掲示、案内等に使用する矢印やポイントにつけるマークや花形等を白のブラスチックで作成し、裏面に蛍光色を塗布した物に吸盤を取り付けて使用する。蛍光色の反射効果で一層の明示性を期待出来る。
【産業上の利用可能性】
【００１４】  白熱灯の使用を撤廃して、蛍光灯の照明のみとする方向が決定されている今日である。わずかの電力で大きなルックスが得られる蛍光灯の特性が認められ、そのエコロジーとエコノミー、そして安全性が認められているからである。大きなエネルギーを使わず、その物質の持つ科学的な原理と特性をうまく活用して得られる成果こそ、省エネ省資源の根源であり、これからの社会が目指すものあろう。蛍光物質の活用はまだまだこれから、未だ全てが分かっているわけでは無く、未知未開発の部分多い。蛍光色のハレーションや散光をマイナスととらえず。利点として考える事で道が拓かれ、今後思いがけない可能性が生まれ、産業面での活用もあり得る事と思われる。本考案は電飾的な部分と美的効果の一面での活用であるけれども、大きな用途の第一歩である事を期待する。
【図面の簡単な説明】
【００１５】
【図１】正面から見る蛍光色の反射光の発生を示す図
【図２】Ａ−Ａ断面を示す図
【符号の説明】
【００１３】  １      壁背面
２      パーツ
３      紫外線を含む入光
４      紫外線の反射光
５      蛍光塗料塗布面
６      発生した蛍光
７      蛍光の反射光
８      壁掛け穴
９      パーツの窓
【図１】
0003144349.tif 000003
【図２】
0003144349.tif 000004